(57)【要約】【課題】作業中に意図しない棒金トレーの滑り出しを防止できる棒金トレーの滑り出し防止装置及び棒金出金装置を提供することを目的とする。【解決手段】棒金トレー３１０を高位の収納位置Ｐ１と低位の取出位置Ｐ２との間を結ぶ傾斜方向にスライド自由に支持するスライド支持部３２０と、前記スライド支持部３２０を上下方向に複数段備えたトレー収納部３００と、前記スライド支持部３２０の取出位置Ｐ２側で前記トレー収納部３００に昇降自在に支持される棒金取出用のバケット２１０と、前記棒金トレー３１０が自重により前記収納位置Ｐ１から取出位置Ｐ２へと滑り出すのを防止するロック手段と、前記ロック手段のロックを解除するロック解除手段とを備えて構成される棒金トレーの滑り出し防止装置４００であって、前記ロック解除手段はストッパ面４１２，４２２でのロック解除と、ロック面４１３，４２３でのロック解除との２段階に分けてロック解除する。【選択図】図３
2010160562.tif 000002
【特許請求の範囲】
【請求項１】
所定数枚の硬貨を棒状に包装した金種別の棒金を収納する棒金トレーと、
前記棒金トレーを、高位の収納位置と低位の取出位置との間を結ぶ傾斜方向にスライド自由に支持するスライド支持部と、
前記スライド支持部を上下方向に複数段備えたトレー収納部と、
前記スライド支持部の取出位置側で前記トレー収納部に昇降自在に支持される棒金取出用のバケットと、
前記棒金トレーが自重により前記収納位置から取出位置へと滑り出すのを防止するロック手段と、
前記ロック手段のロックを解除するロック解除手段と、
を備えて構成される棒金トレーの滑り出し防止装置であって、
前記ロック解除手段は、
第１ロック解除手段と第２ロック解除手段との２段階に分けてロック解除すべく構成した
棒金トレーの滑り出し防止装置。
【請求項２】
前記第１ロック解除手段は、
前記棒金トレーに備えられた上流側ストッパ部と、
前記トレー収納部に支持されて、前記棒金トレーの自重が掛かる傾斜方向の下流側で前記上流側ストッパ部を受け止める下流側ストッパ部を有し、ロック規制側とロック許容側との間を変位する変位許容部材とで構成し、
前記第２ロック解除手段は、
前記棒金トレーに備えられた上流側ロック部と、
前記上流側ストッパ部が前記下流側ストッパ部に受け止められている棒金トレーの滑り出し規制状態のときに、前記上流側ロック部が前記変位許容部材に対する変位規制位置で対向し、前記棒金トレーを傾斜方向の高位側に押し込んだ状態のときに、前記上流側ロック部の変位規制を解除させてロック解除側への変位を許容させる下流側ロック部とで構成した
請求項１に記載の棒金トレーの滑り出し防止装置。
【請求項３】
前記棒金の出金情報を入力する入力手段と、
前記入力手段により入力された出金情報に基づいて、指定された金種別の棒金を出金処理する制御手段と、
請求項１または２に記載の棒金トレーの滑り出し防止装置とを備えて構成した
棒金出金装置。
【発明の詳細な説明】
【技術分野】
【０００１】
この発明は、両替機や釣銭販売機に内部構成される棒金トレーの滑り出し防止装置及び棒金出金装置に関する。
【背景技術】
【０００２】
一般に、多数枚の硬貨を棒状に包装した金種別の棒金を出金処理する棒金出金装置は、多数の棒金を金種別に格納した棒金トレーを上下方向に複数段備えている。さらに、棒金トレーは棒金の取出性を考慮して傾斜方向にスライド自由に取り付けられている。棒金トレーを補充や点検等の目的で係員が操作してスライドさせる際、係員は該当する棒金トレーのロック解除レバーをロック解除することにより、棒金トレーを傾斜方向の高位側から低位側へと滑り出させてスライドさせている（例えば特許文献１参照）。
【０００３】
ところが、前面ユニットを開いて装置内部で係員が作業する場合、係員は装置内部の限られた狭い空間に入り込んで不安定な姿勢で作業するため作業性が悪くなっていた。
【０００４】
さらに、棒金トレーは多数の棒金を収納して重量があるため、傾斜方向の下流側に自重が強く作用している。このため、係員が作業中に手や腕など身体の一部が意図しない棒金トレーのロック解除レバーに当たった場合や多数並んでいるロック解除レバーを間違えて操作してしまった場合は、意図しない棒金トレーが自重により斜め下方へと一気に滑り出てくることがある。このため、棒金トレーがトレー収納部から数十センチ飛び出した所で止まるストッパ機構を設け、該棒金トレーがトレー収納部から誤って飛び出しても脱落しない構造を有している。
【先行技術文献】
【特許文献】
【０００５】
【特許文献１】特開２００８−２２５６６７号公報
【発明の概要】
【発明が解決しようとする課題】
【０００６】
しかし、前記棒金トレーに対しては脱落防止手段を備えているに過ぎず、限られた狭い空間で作業する係員は、意図しない棒金トレーが急に滑り出てくることにより驚き、作業に支障が生じることがあった。このため、棒金出金装置での不安定な姿勢が余儀なくされる内部作業では作業環境が悪くなっていた。したがって、作業環境条件を向上して係員が安心して作業できるように誤動作が生じない装置の改善が望まれていた。
【０００７】
そこでこの発明は、係員による装置内部での作業中に意図しない棒金トレーが滑り出すのを防止できる棒金トレーの滑り出し防止装置及び棒金出金装置を提供することを目的とする。
【課題を解決するための手段】
【０００８】
上述の目的を達成するために、この発明は、所定数枚の硬貨を棒状に包装した金種別の棒金を収納する棒金トレーと、前記棒金トレーを、高位の収納位置と低位の取出位置との間を結ぶ傾斜方向にスライド自由に支持するスライド支持部と、前記スライド支持部を上下方向に複数段備えたトレー収納部と、前記スライド支持部の取出位置側で前記トレー収納部に昇降自在に支持される棒金取出用のバケットと、前記棒金トレーが自重により前記収納位置から取出位置へと滑り出すのを防止するロック手段と、前記ロック手段のロックを解除するロック解除手段と、を備えて構成される棒金トレーの滑り出し防止装置であって、前記ロック解除手段は、第１ロック解除手段と第２ロック解除手段との２段階に分けてロック解除すべく構成した棒金トレーの滑り出し防止装置であることを特徴とする。
【発明の効果】
【０００９】
この発明によれば、棒金トレーに対する誤操作を解消して係員の作業性を向上できるとともに、係員に対する心理的負担をも軽減することができる作業環境条件が良好となる棒金トレーの滑り出し防止装置及び棒金出金装置を得ることができる。
【図面の簡単な説明】
【００１０】
【図１】棒金出金装置の内部構造を示す要部側面図。
【図２】棒金トレーの滑り出し防止装置のロック状態を示す要部側面図。
【図３】（Ａ）は棒金トレーの滑り出し防止装置の初期ロック解除状態を示す要部側面図、（Ｂ）は棒金トレーの滑り出し防止装置のロック解除完了状態を示す要部側面図。
【図４】棒金トレーの滑り出し防止装置のロック解除時における手動操作状態を示す要部斜視図トレー収納部側面図。
【図５】棒金出金装置の制御回路ブロック図。
【発明を実施するための形態】
【００１１】
この発明の一実施例を以下図面に基づいて説明する。
【実施例】
【００１２】
図面は棒金出金装置１００における棒金トレー３１０の滑り出し防止装置４００を示し、図１は棒金出金装置１００の内部構造を示す要部側面図、図２は棒金トレー３１０の滑り出し防止装置４００のロック状態を示す要部側面図、図３（Ａ）は棒金トレー３１０の滑り出し防止装置４００の初期ロック解除状態を示す要部側面図、図３（Ｂ）は棒金トレー３１０の滑り出し防止装置４００のロック解除完了状態を示す要部側面図、図４は棒金トレー３１０の滑り出し防止装置４００のロック解除時の操作状態を示す要部斜視図である。
【００１３】
この棒金出金装置１００は、入金された貨幣を棒金１０（図２参照）へと両替する両替機や釣銭販売機等の自動取引機に用いられる。ここで扱われる棒金１０とは、同一金種の硬貨を例えば５０枚重ね合わせ、その外周囲を紙やビニール等のシートで棒状（円柱状）に包装した包装硬貨である。
【００１４】
前記棒金出金装置１００は、縦長の長方体状に設けられ、図１において、左側に棒金出金処理部２００を配置し、右側にトレー収納部３００を配置している。このうち、棒金出金処理部２００が棒金出金装置１００の操作面側となる正面にあたり、トレー収納部３００が棒金出金装置１００の奥方にあたる。
【００１５】
前記棒金出金処理部２００は、バケット２１０と、バケット昇降装置２２０と、放出口２３０と、制御部２４０とを備えて構成される。
【００１６】
バケット２１０は、上面が開放した箱型状を有し、該バケット２１０はトレー収納部３００の棒金取出側に対設される。このバケット２１０には、指定された金種別の棒金１０をトレー収納部３００に備えられている各棒金トレー３１０から取り出す取出機構２１１を有しており、該バケット２１０に取り出された棒金１０を上面開放部２１２から取引者により取り出せるようにしている。
【００１７】
バケット昇降装置２２０は、図示しない駆動機構によりバケット２１０を昇降動作させて、トレー収納部３００側から金種別の指定された棒金１０を取出機構２１１を介して取り出せるように、またバケット２１０内の棒金１０を取り出し可能な上部の放出口２３０へと対応させるように、バケット２１０を上下方向に移動させる。
【００１８】
放出口２３０は、前記バケット２１０と対応する装置上部に棒金１０を取出し可能な開口を有し、該開口を水平に開閉するシャッタ２３１を備えている。この放出口２３０を開口させて棒金１０の取り出しを可能にしている。
【００１９】
つまり、棒金出金処理部２００側では、トレー収納部３００側から指定された金種の棒金１０を取り出して放出口２３０へと受け渡す処理を実行する。なお、この棒金出金処理部２００での出金処理動作は後述する制御ユニット５００によって制御される。
【００２０】
トレー収納部３００は、金種別の棒金１０を収納する棒金トレー３１０と、該棒金トレー３１０を傾斜方向にスライド自由に支持するスライド支持部３２０との一組を、上下方向に複数段備えて構成している。
【００２１】
前記棒金トレー３１０は、多数の棒金１０を径方向に並列して整列収納し得る幅及び長さを有する箱形状を有している。さらに、該棒金トレー３１０の後方上面は開放されていて棒金装填用の開口部（図示省略）となっている。また、前端部の上面は１本の棒金１０を上方より取り出す取出口３１１（図４参照）を開口している。この取出口３１１に対し、前記バケット２１０の取出機構２１１が対応して取り出し操作される。また、取出口３１１の前端側の立壁３１２により棒金１０の下降限が定められている。
【００２２】
さらに、立壁３１２の前面中央には識別部３１３が取り付けられている。この識別部３１３は、棒金トレー３１０についての個別情報として、金種等の情報が記憶されており、バケット２１０に設けられた図示しない読取手段で読み取られる。
【００２３】
さらに、棒金トレー３１０の左右の側板３１４には、両側に平行して該側板３１４の上端から外向きに水平に延出したガイドレール３１５を備えている。これらのガイドレール３１５の下面に、後述するガイドローラ３２１が対向する。
【００２４】
棒金トレー３１０は、前端側からの棒金１０の取出し性を考慮して前下がりに傾斜させて配設されている。そして、棒金トレー３１０の前端側を傾斜方向の低位側とし、後端側を傾斜方向の高位側としている。この傾斜状態で棒金トレー３１０は前記ガイドレール３１５の下面を支えるガイドローラ３２１によりスライド自由に支持される。
【００２５】
前記ガイドローラ３２１は、トレー収納部３００の両側壁３０１より内面側に突出して前記棒金トレー３１０の傾斜方向に沿って複数取り付けられている。そして、これらのガイドローラ３２１が前記ガイドレール３１５の下面に対接している。これにより、棒金トレー３１０はガイドローラ３２１に支持されて傾斜方向における高位の収納位置Ｐ１と低位の取出位置Ｐ２との間を円滑にスライドする。
【００２６】
次に、トレー収納部３００に収納されている棒金トレー３１０の滑り出しを防止する棒金トレーの滑り出し防止装置４００について説明する。  
前記棒金トレーの滑り出し防止装置４００は、図２に示すように、変位許容部材としてのロック解除レバー４１０と、変位規制部材としてのロック規制部４２０とから構成される。
【００２７】
ロック解除レバー４１０は長い棒状に形成され、トレー収納部３００の一側壁３０１（図４参照）の内面に突出する支点軸４１１に、該レバー４１０の前部側が軸支されている。これにより、ロック解除レバー４１０は支点軸４１１を回動支点とし、前部側が押下されると後部側が上下方向に回動する。
【００２８】
ロック解除レバー４１０は、回動規制されていない自由状態では、該レバー後部側が自重により下がる。このため、該レバー後部側を回動規制する回動規制位置で停止するように、該レバー後部側の下側対向面には変位規制位置となる降下規制部材３２２を対設して、該レバー後部側の下面を受け止めている（図３(Ａ)参照）。
【００２９】
さらに、ロック解除レバー４１０には、棒金トレー３１０の滑り出しを防止するストッパ機能を備えた下流側ストッパ部としての下流側ストッパ面４１２と、該レバーの回動をロックするロック機能を備えた下流側ロック部としての下流側ロック面４１３とを有している。
【００３０】
下流側ストッパ面４１２は、レバー後端面の端面上部を角型に切欠いて階段状に形成し、その階段状の最も後方（傾斜方向高位側）に突出している下側端面の垂直面が該ストッパ面に該当する。ここに後述する上流側ストッパ面４２２を斜め上方より当接させて受け止める。
【００３１】
下流側ロック面４１３は、レバー後部側に、前記階段状に切欠かれた段部のうち、水平方向の切欠き上面が該ロック面に該当し、ここに後述する上流側ロック面４２３を上方より当接させてレバー後部側が上方へ回動するのを規制する。
【００３２】
前記ロック規制部４２０は、棒金トレー３１０の一側板３１４に突出した側面延出部材４２１の前端面に、棒金トレー３１０の滑り出しを防止するストッパ機能を備えた上流側ストッパ部としての上流側ストッパ面４２２と、ロック解除レバー４１０の回動をロックするロック機能を備えた上流側ロック部としての上流側ロック面４２３とを有している。
【００３３】
上流側ストッパ面４２２は、側面延出部材４２１の前端面下部を角型に切欠いて階段状に形成し、その階段状の最も後方（傾斜方向高位側）に凹んでいる下側端面の垂直面が該ストッパ面に該当する。この上流側ストッパ面４２２が、上述した下流側ストッパ面４１２に当接して受け止められることで、棒金トレー３１０の滑り出しが規制される。
【００３４】
上流側ロック面４２３は、側面延出部材４２１の前端面に前記階段状に切欠かれた水平方向の切欠き下面が該ロック面に該当し、この上流側ロック面４２３が、上述した下流側ロック面４１３に上方より当接することで、ロック解除レバー４１０の回動を規制している。
【００３５】
そして、傾斜方向に対向する上流側ストッパ面４２２と下流側ストッパ面４１２との対向面間で、ロック手段を兼ねた第１ロック解除手段を構成している。この第１ロック解除手段は、図２に示すように、傾斜方向に対向する互いのストッパ面４２２，４１２間を当接させたストッパ状態では棒金トレー３１０が滑り出すのを規制したロック状態となり、図３（Ａ）に示すように、ストッパ面４２２，４１２間を離間させたストッパ解放状態では上流側ロック面４２３と下流側ロック面４１３が離間してロック解除の第１段階となる初期動作が行われたことになる。
【００３６】
また、上下方向に対向する上流側ロック面４２３と下流側ロック面４１３との対向面間で、ロック解除手段としての第２ロック解除手段を構成している。この第２ロック解除手段は、図３（Ａ）に示すように、ロック解除レバー４１０の後方が下方位置にあって、ストッパ面４２２，４１２が対向していると、棒金トレー３１０が滑り出さないロック状態にある。このロック状態から図３（Ｂ）に示すように、ロック解除レバー４１０の後方が上方位置へ回動すると、ストッパ面４２２，４１２が傾斜方向で対向しなくなり、棒金トレー３１０が滑り出し可能なロック解除状態となる。
【００３７】
ことに、上流側のロック規制部４２０と、下流側のロック解除レバー４１０とを対向させてロック・ロック解除するようにした構造は、上流側の階段状の段部と、下流側の階段状の段部との互いの段部を１か所で効率よく噛み合わせて構成している。このため、ストッパ面４２２，４１２間が当接している状態では、ロック面４２３，４１３間も当接ないし対向している。したがって、棒金トレー３１０を押し込んでロック面４２３，４１３間を解除しないと、ロック解除レバー４１０を回動させてストッパ面４２２，４１２間を解除できない２段階のロック解除構造である。さらに、ロック解除レバー４１０は、通常、ロック面４２３，４１３間によりロックされて回動操作不能な状態にあるため、該ロック解除レバー４１０だけを操作しようとしても回動されない。
【００３８】
つまり、図４に示すように、前記ストッパ面４２２，４１２間を離間すべく棒金トレー３１０を斜め上方へ押し込む動作がなされた時点で、ロック面４２３，４１３間が非対向となり、ロック解除レバー４１０の回動操作が可能になるという２段階のロック解除により構成された連動型のロック解除構造を構築している。
【００３９】
図５は棒金出金装置１００の制御回路ブロック図である。  
図示するように、棒金出金装置１００は、制御ユニット５００を備え、該棒金出金装置１００の内部を開ける側面扉（図示省略）等が開閉操作されたことを検知する扉開閉センサ、金種を判別する金種判別センサの情報を読み取り、書込み処理した各種の監視情報を扱う運用監視部５１０からの運用監視信号は、制御ユニット５００に送られる。また、制御ユニット５００は、棒金出金処理部２００と電気的に接続されており、この動作を制御する。
【００４０】
さらに、棒金出金装置１００は、操作面側に操作パネル５２０と紙幣入金部５３０とを備えており、制御ユニット５００は操作パネル５２０と紙幣入金部５３０と電気的に接続されている。操作パネル５２０は入力手段として設けられ、筺体の上面等に設けられており、利用者に対して操作案内を促す表示部と、利用者からの入力操作を受け付ける入力部とを併せ持つ。紙幣入金部５３０は、両替用の紙幣の入金を行うユニットである。制御ユニット５００は、棒金の出金処理を制御する制御手段として設けられ、操作パネル５２０とバケット２１０及び紙幣入金部５３０の動作を制御する。
【００４１】
制御ユニット５００は、ＣＰＵ５４０、ＲＯＭ５５０、ＲＡＭ５６０、通信部５７０等を備えた周知のマイクロコンピュータによって構成される。通信部５７０は、専用回線で接続された通信先の現金センタ５８０との間でデータ通信を可能としている。ＲＯＭ５５０には、紙幣から棒金への両替を行う両替処理等のコンピュータプログラムが予め格納されている。ＣＰＵ５４０は、ＲＯＭ５５０に格納されたプログラムに沿って各回路装置を制御し、その制御データをＲＡＭ５６０で読出し可能に記憶する。
【００４２】
次に、このように構成された棒金トレーの滑り出し防止装置４００の処理動作について説明する。  
トレー収納部３００に収納されている各棒金トレー３１０は、斜め下方に自重が掛かった傾斜状態にある。このため、図２に示すように、棒金トレー３１０はロック解除レバー４１０の下流側ストッパ面４１２に、棒金トレー３１０の上流側ストッパ面４２２が当接して受け止められている。このため、棒金トレー３１０は、ロック解除レバー４１０により滑り出し規制された状態にある。この滑り出し規制された高位の位置が収納位置Ｐ１（図１参照）となって出金待機している。
【００４３】
したがって、この棒金トレー３１０が滑り出し規制された収納位置Ｐ１では、ストッパ面４１２，４２２間において、互いに傾斜方向で階段状に合致したロック状態にある。さらに、このロック部分は重量のある棒金トレー３１０の自重が掛かっているため、安定したロック状態を維持することになる。
【００４４】
このようにロック状態で係員が棒金１０の補充や点検を行う作業中に、該係員の手や腕など身体の一部が、意図しない棒金トレー３１０のロック解除レバー４１０に当たり、該ロック解除レバー４１０にロック解除方向の外力がかかっても、ロック面４２３，４１３間のロック状態を維持しているため、ロック解除レバー４１０は回動せず、ロック規制状態を維持する。したがって、意図しない棒金トレー３１０が急に滑り出てくることがなくなる。このほか、振動等の外力を受けても、安定したロック状態を維持しているため悪影響を受けない構成となり、不用意にロック解除されなくなる。
【００４５】
この結果、装置内部での作業中に、棒金トレー３１０が飛び出して、装置が誤起動したかと係員が驚くことがなくなる。よって、係員は装置内部で安心して作業を継続することができる。
【００４６】
次に、棒金トレー３１０のロックを解除する場合は、図３（Ａ）及び図４に示すように、右手の指先で棒金トレー３１０の中央を斜め上方に押し込むと、該棒金トレー３１０に形成されている上流側ストッパ面４２２が下流側ストッパ面４１２と離れるとともに、該棒金トレー３１０の上流側ロック面４２３が下流側ロック面４１３と離れて上下方向に対して非対向となる。これにより、ロック解除レバー４１０は上方への回動が許容される。
【００４７】
このとき、棒金トレー３１０を手で支えて押し込むことで第１のロック解除がなされることになるので、押し込まれない棒金トレー３１０はロックが掛かったままであり、誤って別のロック解除レバー４１０に触れてしまっても、棒金トレー３１０が滑り出てくることはない。
【００４８】
棒金トレー３１０が押し込まれた状態で、図３（Ｂ）及び図４に示すように、左手の指先でロック解除レバー４１０の前端を押し下げると、該ロック解除レバー４１０の後端側は、支点軸４１１を支点に上方へ回動し、棒金トレー３１０とは接触しない非対向の上方位置に変位し、棒金トレー３１０に対するロックが解除される。
【００４９】
その後、棒金トレー３１０の前端面を支えていた右手を離すと、ロック解除されている棒金トレー３１０は自重により前方の取出位置Ｐ２へと滑り出てくる。この滑り出てきた棒金トレー３１０に対して係員は所望の作業を実行する。
【００５０】
なお、ロック解除レバー４１０は、係員の押下操作力から解放された時点で、自重により元の位置に回動復帰（図３（Ａ）参照）し、ロック対応する位置に戻る。よって、係員が棒金トレー３１０を押し込んで離すと、再び互いのストッパ面４１２，４２２及びロック面４１３，４２３が対応してロックされ、棒金トレー３１０の滑り出しが規制される。
【００５１】
前記棒金トレー３１０のロック解除操作は係員が扱う場合について説明したが、棒金出金装置１００を駆動して棒金１０を出金処理する自動取引時のロック解除操作についてもバケット２１０を介して同様な２段階のロック解除操作を実行し、トレー収納部３００に収納されている所定金種の棒金トレー３１０を収納位置Ｐ１から取出位置Ｐ２に引き出して所定数の棒金１０の取り出しを行うものである。
【００５２】
すなわち、バケット２１０には、上下動する際に、棒金トレー３１０を後方へ押し込む押込突起（図示省略）と、この押込状態のときにロック解除レバー４１０の前方部を下方へ押し下げるソレノイド等の駆動手段（図示省略）が設けられている。そして、バケット２１０が上部から下方へ移動する際に、棒金トレー３１０の金種と棒金１０の有無を検知し、下部から上方へ移動する際に、棒金トレー３１０を引き出す。このとき、棒金１０を取り出す。棒金トレー３１０を押込突起で押し込んでいる状態（第１のロック解除）で、駆動手段によりロック解除レバー４１０を回動させ（第２のロック解除）、さらにバケット２１０を上昇させて押込状態を解除して棒金トレー３１０を自重で滑り出させる。これにより、棒金トレー３１０が棒金取出位置まで突出し、取出機構２１１により棒金１０を取り出せる。
【００５３】
上述のように、係員が誤って棒金トレー３１０のロック解除部分に触れたり、ロック解除部分を誤って操作したりしてもロック解除されず、意図しない棒金トレー３１０の滑り出しを防止できる。このため、棒金トレー３１０が急に滑り出して驚くようなことがなくなり、装置内部での作業環境条件が向上して係員に対する安全性を確保できるとともに、係員に対する心理的負担をも軽減することができる。
【産業上の利用可能性】
【００５４】
釣銭販売機や両替機及び棒金を取り扱う他の機器全般に関する。
【符号の説明】
【００５５】
１０…棒金
１００…棒金出金装置
３００…トレー収納部
３１０…棒金トレー
４００…棒金トレーの滑り出し防止装置
４１０…ロック解除レバー
５００…制御ユニット
【図１】
2010160562.tif 000003
【図２】
2010160562.tif 000004
【図３】
2010160562.tif 000005
【図４】
2010160562.tif 000006
【図５】
2010160562.tif 000007